(57)【特許請求の範囲】
【請求項１】
携帯装置と通信を行うための通信手段、画像を表示する表示手段、及び、操作を入力する入力手段、を備える車載装置において、前記携帯装置を遠隔操作するための遠隔操作処理を実行する制御装置であって、
前記携帯装置の表示部で表示される画像を前記通信手段を介して入力して前記表示手段に表示させる画像表示処理と、前記入力手段により入力された操作を前記通信手段を介して前記携帯装置へ出力する操作出力処理と、を前記遠隔操作処理として実行する実行手段を備え、
前記実行手段は、
前記携帯装置の機種を特定するための機種特定情報を前記通信手段を介して入力する入力処理手段と、
前記機種特定情報に基づいて、前記携帯装置が有するハードウェアボタンに対応する操作用画像を、前記携帯装置の表示部で表示される画像とともに前記表示手段に表示させる表示処理手段と、
を備え、
前記表示処理手段は、前記機種特定情報に基づき特定される機種の前記携帯装置が有するハードウェアボタンの数が所定のしきい値以上である場合に、前記携帯装置の表示部で表示される画像とともに前記操作用画像を前記表示手段に表示させ、前記機種特定情報に基づき特定される機種の前記携帯装置が有するハードウェアボタンの数が前記しきい値未満である場合には、前記操作用画像を前記表示手段に表示させない
ことを特徴とする制御装置。
【請求項２】
請求項１に記載の制御装置であって、
前記表示処理手段は、前記操作用画像を前記表示手段に表示させる表示モードと、前記操作用画像を前記表示手段に表示させない表示モードとを、前記入力手段により入力される操作に応じて切り替える
ことを特徴とする制御装置。
【請求項３】
請求項１又は請求項２に記載の制御装置であって、
前記表示処理手段は、前記機種特定情報に基づき特定される機種に対応する前記操作用画像を、外部装置から取得する
ことを特徴とする制御装置。
【請求項４】
請求項１から請求項３までのいずれか１項に記載の制御装置であって、
前記表示処理手段は、前記携帯装置の機種が特定できない場合には、デフォルトの操作用画像を、前記携帯装置の表示部で表示される画像とともに前記表示手段に表示させる
ことを特徴とする制御装置。
【請求項５】
請求項１から請求項４までのいずれか１項に記載の制御装置であって、
前記表示処理手段は、前記携帯装置の固有情報と機種とを対応付けて記憶し、前記入力処理手段により前記機種特定情報として取得される前記携帯装置の固有情報に基づき、前記携帯装置の機種を特定する
ことを特徴とする制御装置。
【発明の詳細な説明】
【技術分野】
【０００１】
本発明は、携帯装置を車載装置で遠隔操作するための技術に関する。
【背景技術】
【０００２】
スマートフォン（多機能型携帯電話機）に代表されるように、近年の携帯装置は様々な機能を有しており、例えば車載ナビゲーション装置と同等のナビゲーション機能を有するものも知られている。ただし、こうした携帯装置の表示画面は、車両に搭載される表示装置の表示画面よりもサイズが小さいことが通常であり、車載装置と比較して、車両における視認や操作がしづらかった。
【０００３】
こうした背景から、車載装置と携帯装置とを通信可能に構成して連携させることにより、携帯装置の有する機能を車載装置で利用可能とする技術が提案されている。この技術では、携帯装置の表示部で表示される画像を車載表示装置で表示するとともに、車載装置で行われた操作を携帯装置に反映させる。つまり、携帯装置を車載装置で遠隔操作することで、携帯装置の有する機能を車載装置で利用可能とする。
【０００４】
ところで、携帯装置を車載装置で遠隔操作するには、携帯装置で行うことのできる操作を車載装置でも行うことができるようにすることが好ましい。ここで、携帯装置の表示画面に表示される操作ボタン（ソフトウェアボタン）は、車載装置の表示画面にも表示されるが、携帯装置が有するハードウェアボタン（メカニカルなボタン）は、携帯装置の表示画面に表示されないため、車載装置の表示画面にも表示されない。そこで、携帯装置が有するハードウェアボタンを、車載装置の表示画面にソフトウェアボタンとして表示させる技術が提案されている（特許文献１参照）。
【０００５】
具体的には、特許文献１に記載の情報表示システムでは、携帯電話の表示画面に表示されている情報とは別に、その携帯電話のハードウェアボタンに対応する操作コマンドデータが車載機側に供給される。車載機の表示画面には、携帯電話の表示画面に表示されている情報（例えば地図データ）が表示されるとともに、その横に、携帯電話の操作コマンド（英数字キーやファンクションキー）が、携帯電話の操作キー配列と略同一の配列でソフトウェアボタンとして表示される。そして、車載機側で表示されたソフトウェアボタンがユーザにより操作されると、該当する操作コマンドが携帯電話に供給される。携帯電話では、供給された操作コマンドが自己の操作コマンドと解釈され、操作コマンドに応じた処理が実行される。
【先行技術文献】
【特許文献】
【０００６】
【特許文献１】特開２００３−２４４３４３号公報
【発明の概要】
【発明が解決しようとする課題】
【０００７】
携帯装置の有するハードウェアボタンは、携帯装置の機種によって種類、数、デザイン、配置などが異なるが、前述した特許文献１に記載の構成では、携帯装置の機種の違いまでは考慮されていない。車載装置の表示画面に表示されたハードウェアボタンの種類、数、デザイン、配置などが、携帯装置のハードウェアボタンと大きく相違すると、操作性が悪化してしまうという問題がある。
【０００８】
本発明は、こうした問題にかんがみてなされたものであり、車載装置の表示画面に表示されたハードウェアボタンの操作性を向上させるための技術を提供することを目的としている。
【課題を解決するための手段】
【０００９】
本発明の制御装置は、携帯装置と通信を行うための通信手段、画像を表示する表示手段、及び、操作を入力する入力手段、を備える車載装置において、携帯装置を遠隔操作するための遠隔操作処理を実行するものである。そして、この制御装置が備える実行手段は、携帯装置の表示部で表示される画像を通信手段を介して入力して表示手段に表示させる画像表示処理と、入力手段により入力された操作を通信手段を介して携帯装置へ出力する操作出力処理と、を遠隔操作処理として実行する。また、この実行手段は、入力処理手段及び表示処理手段を備える。入力処理手段は、携帯装置の機種を特定するための機種特定情報を通信手段を介して入力する。そして、表示処理手段は、機種特定情報に基づいて、携帯装置が有するハードウェアボタンに対応する操作用画像を、携帯装置の表示部で表示される画像とともに表示手段に表示させる。
【００１０】
このような構成によれば、携帯装置の機種に応じて異なる操作用画像を表示手段に表示させることができる。したがって、携帯装置の機種に関係なく共通の操作用画像が表示される構成と比較して、操作用画像に対する操作を行いやすくする（操作性を向上させる）ことができる。
【００１１】
ただし、操作用画像を表示手段に表示させると、操作用画像を表示手段に表示させない場合と比較して、携帯装置の表示部で表示される画像のための表示領域を小さくする必要がある。そこで、操作用画像が必要とされる度合いに応じて、操作用画像を表示しないようにしてもよい。
【００１２】
例えば、表示処理手段は、機種特定情報に基づき特定される機種の携帯装置がタッチパネルを有しない場合に、携帯装置の表示部で表示される画像とともに操作用画像を表示手段に表示させ、機種特定情報に基づき特定される機種の携帯装置がタッチパネルを有する場合には、操作用画像を表示手段に表示させないようにしてもよい。すなわち、タッチパネルを有する携帯装置では、表示部で表示される画像にソフトウェアボタンが表示されるため、タッチパネルを有しない携帯装置と比較して、ハードウェアボタンが必要とされる度合いが低い。このため、タッチパネルを有する携帯装置の場合には操作用画像を表示させないようにすることで、携帯装置の表示部で表示される画像のための表示領域を大きくすることができる。
【００１３】
また、例えば、表示処理手段は、機種特定情報に基づき特定される機種の携帯装置が有するハードウェアボタンの数が所定のしきい値以上である場合に、携帯装置の表示部で表示される画像とともに操作用画像を表示手段に表示させ、機種特定情報に基づき特定される機種の携帯装置が有するハードウェアボタンの数がしきい値未満である場合には、操作用画像を表示手段に表示させないようにしてもよい。すなわち、ハードウェアボタンの数が少ないほど、ハードウェアボタンが必要とされる度合いが低いため、ハードウェアボタンの数がしきい値未満である場合には操作用画像を表示させないようにすることで、携帯装置の表示部で表示される画像のための表示領域を大きくすることができる。
【００１４】
ただし、操作用画像が全く表示されないようにすると、不便となる状況も生じ得る。そこで、表示処理手段は、操作用画像を表示手段に表示させる表示モードと、操作用画像を表示手段に表示させない表示モードとを、入力手段により入力される操作に応じて切り替えるようにしてもよい。このような構成によれば、操作用画像を必要に応じて表示させることができる。
【００１５】
ところで、操作用画像は、例えば、携帯装置が有するハードウェアボタンの種類、数、デザイン、配置などに応じた画像とすることができる。このような操作用画像は、複数種類の機種に応じてあらかじめ記憶されていてもよいが、例えば次のようにしてもよい。すなわち、表示処理手段が、機種特定情報に基づき特定される機種に対応する操作用画像を、外部装置から取得する。このような構成によれば、携帯装置の機種に対応する操作用画像を記憶していない場合にも、外部装置から取得することができる。
【００１６】
一方、携帯装置の機種が特定できない場合も考えられる。このような場合には、例えば、表示処理手段は、デフォルトの操作用画像を、携帯装置の表示部で表示される画像とともに表示手段に表示させるようにしてもよい。このようにすれば、携帯装置の機種が特定できない場合にも、標準的なハードウェアボタンなどを操作用画像として表示することができる。
【００１７】
また、機種特定情報としては、それ自体が機種を表すものであってもよいが、これに限ったものではなく、機種を特定するための情報であればよい。例えば、表示処理手段は、携帯装置の固有情報と機種とを対応付けて記憶し、入力処理手段により機種特定情報として取得される携帯装置の固有情報に基づき、携帯装置の機種を特定してもよい。このような構成によれば、機種特定情報が機種そのものを表すものでない場合にも、機種特定情報に基づいて機種を特定することができる。
【図面の簡単な説明】
【００１８】
【図１】実施形態の無線通信システムの構成を示すブロック図である。
【図２】（Ａ）はタッチパネル式の表示画面及び１つのハードウェアボタンを備えるスマートフォンとＶＮＣ接続した車載装置の表示画面を示す図、（Ｂ）はタッチパネル式でない表示画面及び多数のハードウェアボタンを備えるスマートフォンとＶＮＣ接続した車載装置の表示画面を示す図、（Ｃ）はタッチパネル式の表示画面及び３つのハードウェアボタンを備えるスマートフォンとＶＮＣ接続した車載装置の表示画面を示す図である。
【図３】車載装置の制御部が実行する接続処理のフローチャートである。
【図４】スマートフォンの表示画面に表示されている画像が全域に表示された車載装置の表示画面を示す図である。
【発明を実施するための形態】
【００１９】
以下、本発明が適用された実施形態について、図面を用いて説明する。
［１．全体構成］
図１は、実施形態の無線通信システムの構成を示すブロック図である。この無線通信システムは、車両に搭載された車載装置１と、車両に乗車したユーザが所持するスマートフォン２とによって構成される。
【００２０】
車載装置１は、ナビゲーション機能や音楽再生機能などを有する電子機器であり、ＢＴ通信部１１、Ｗｉ−Ｆｉ通信部１２、タッチパネル表示部１３、音出力部１４、広域通信部１５及び制御部１６を備える。なお、車載装置１は、車両に常に固定されたタイプのものであってもよく、また、車外へ持ち運び可能なタイプのものであってもよい。
【００２１】
ＢＴ通信部１１は、Ｂｌｕｅｔｏｏｔｈ（登録商標）規格に従った近距離無線通信（以下「ＢＴ無線通信」という。）を行うための通信モジュールを備え、車載装置１と外部の通信機器（例えばスマートフォン２）との間で、ＢＴ無線通信を可能とするための機能を有する。ＢＴ通信部１１による通信エリアは、車両の室内をカバーするように設定されている。
【００２２】
Ｗｉ−Ｆｉ通信部１２は、Ｗｉ−Ｆｉ（登録商標）規格に従った近距離無線通信（以下「ＷＦ無線通信」という。）を行うための通信モジュールを備え、車載装置１と外部の通信機器（例えばスマートフォン２）との間で、ＷＦ無線通信を可能とするための機能を有する。Ｗｉ−Ｆｉ通信部１２による通信エリアも、ＢＴ通信部１１と同様、車両の室内をカバーするように設定されている。
【００２３】
タッチパネル表示部１３は、タッチパネル式の表示装置を備え、表示画面に画像を表示する機能と、ユーザによる操作をタッチパネルから入力する機能とを有する。タッチパネル表示部１３の表示画面は、車両に乗車したユーザ（特に運転者）が視認可能な位置に配置されている。また、音出力部１４は、車両の室内に設けられたスピーカから音を出力する機能を有する。
【００２４】
広域通信部１５は、携帯電話網を介した通信（各地に配置された携帯電話基地局等を介した広域無線通信）を行うための無線通信モジュールを備え、車載装置１と外部のセンタ３との間で、遠距離での無線通信を可能とするための機能を有する。
【００２５】
制御部１６は、ＣＰＵ、ＲＯＭ、ＲＡＭ、ＩＯポート等からなる周知のマイクロコンピュータを中心に構成されており、バスラインを介して接続されたＢＴ通信部１１、Ｗｉ−Ｆｉ通信部１２、タッチパネル表示部１３、音出力部１４及び広域通信部１５を制御する機能を有する。
【００２６】
一方、スマートフォン２は、ナビゲーション機能や音楽再生機能などを有する多機能型携帯電話機であり、ＢＴ通信部２１、Ｗｉ−Ｆｉ通信部２２、表示部２３、操作部２４、音出力部２５及び制御部２６を備える。
【００２７】
ＢＴ通信部２１は、ＢＴ無線通信を行うための通信モジュールを備え、スマートフォン２と外部の通信機器（例えば車載装置１）との間で、ＢＴ無線通信を可能とするための機能を有する。
【００２８】
Ｗｉ−Ｆｉ通信部２２は、ＷＦ無線通信を行うための通信モジュールを備え、スマートフォン２と外部の通信機器（例えば車載装置１）との間で、ＷＦ無線通信を可能とするための機能を有する。
【００２９】
表示部２３は、表示画面に画像を表示する機能を有する。また、操作部２４は、ユーザによる操作を入力する機能を有する。操作部２４は、表示部２３の表示画面の前面にタッチパネルとして設けられるものであってもよく、また、タッチパネルに代えて又はタッチパネルに加えて、ハードウェアボタンとして設けられるものであってもよい。
【００３０】
音出力部２５は、スピーカから音を出力する機能を有する。
制御部２６は、ＣＰＵ、ＲＯＭ、ＲＡＭ、ＩＯポート等からなる周知のマイクロコンピュータを中心に構成されており、バスラインを介して接続されたＢＴ通信部２１、Ｗｉ−Ｆｉ通信部２２、表示部２３及び音出力部２５を制御する機能を有する。
【００３１】
［２．処理の概要］
次に、本実施形態の無線通信システムで実行される処理の概要について説明する。この無線通信システムにおいて、車載装置１は、車両に乗車したユーザが所持するスマートフォン２とＶＮＣ（Virtual Network Computing）接続し、スマートフォン２を車載装置１で遠隔操作するための遠隔操作処理を実行する。具体的には、車載装置１の制御部１６は、スマートフォン２の表示部２３で表示されている画像を表す画像信号を、Ｗｉ−Ｆｉ通信部１２を介して入力し、入力した画像信号の表す画像をタッチパネル表示部１３に表示させる画像表示処理を実行する。また、制御部１６は、スマートフォン２の音出力部２５から出力されている音を表す音声信号を、ＢＴ通信部１１を介して入力し、入力した音声信号の表す音を音出力部１４からも出力させる音出力処理を実行する。さらに、制御部１６は、タッチパネル表示部１３により入力された操作を表す操作信号をＢＴ通信部１１を介してスマートフォン２へ出力し、出力した操作信号の表す操作がスマートフォン２の操作部２４で入力された場合の処理をスマートフォン２に実行させる操作出力処理を実行する。このような遠隔操作処理（画像表示処理、音出力処理及び操作出力処理）により、ＶＮＣ接続中は、スマートフォン２を車載装置１で遠隔操作することができ、その結果、スマートフォン２の有する機能を車載装置１で利用することができる。
【００３２】
また、制御部１６は、画像表示処理において、スマートフォン２が有するハードウェアボタン（ボタンコマンド）に対応する操作用画像（ソフトウェアボタンを表す画像）を、スマートフォン２の表示部２３で表示される画像とともに、タッチパネル表示部１３に表示させる。
【００３３】
例えば、図２（Ａ）に示すように、タッチパネル式の表示画面Ａ１及び１つのハードウェアボタンＡ２を備えるスマートフォンＡとＶＮＣ接続した場合、車載装置１の表示画面には、スマートフォンＡの表示画面Ａ１に表示されている画像と、ハードウェアボタンＡ２を表す操作用画像とが表示される。なお、この例では、操作用画像に、標準機能ボタンＮ１，Ｎ２が付加されている。標準機能ボタンとは、スマートフォン２の機種に関係なく利用される機能が対応付けられたボタンであり、例えば、通話開始／停止ボタン、ハンズフリー通話／単独通話の切り替えボタン、音量調整ボタン、テンキーボタン、上下左右ボタン、メニューへ戻るボタンなどが挙げられる。このように、スマートフォン２のボタンコマンドに加え、車載装置１側の独自コマンドをソフトウェアボタンとして表示してもよい。
【００３４】
また、図２（Ｂ）に示すように、タッチパネル式でない表示画面Ｂ１及び多数のハードウェアボタンＢ２，Ｂ３，Ｂ４，…を備えるスマートフォンＢとＶＮＣ接続した場合、車載装置１の表示画面には、スマートフォンＢの表示画面Ｂ１に表示されている画像と、ハードウェアボタンＢ２，Ｂ３，Ｂ４を表す操作用画像とが表示される。なお、この例では、スマートフォンＢが有するすべてのハードウェアボタンが操作用画像に表示されるのではなく、一部のハードウェアボタンが表示されている。
【００３５】
また、図２（Ｃ）に示すように、タッチパネル式の表示画面Ｃ１及び３つのハードウェアボタンＣ２，Ｃ３，Ｃ４を備えるスマートフォンＣとＶＮＣ接続した場合、車載装置１の表示画面には、スマートフォンＣの表示画面Ｃ１に表示されている画像と、ハードウェアボタンＣ２，Ｃ３，Ｃ４を表す操作用画像とが表示される。
【００３６】
このように、スマートフォン２の機種に応じて、その機種のスマートフォン２が有するハードウェアボタンに対応する操作用画像を表示する。具体的には、スマートフォン２が有するハードウェアボタンの種類、数、デザイン、配置などに応じた操作用画像を表示することで、ユーザが直感的に操作することができるようにしている。そして、制御部１６は、操作出力処理において、操作用画像に対する操作を表す操作信号をＢＴ通信部１１を介してスマートフォン２へ出力し、出力した操作信号の表す操作がスマートフォン２の操作部２４で入力された場合の処理をスマートフォン２に実行させる。なお、ここでいうデザインとは、例えば、色、形、配置、操作方法である。操作方法の例としては、例えば、受話操作をプッシュボタンにより操作するタイプのスマートフォンもあれば、スライドボタンにより操作するタイプのスマートフォンもある。そのため、操作方法も車載装置１とスマートフォン２とで合わせることができれば、より操作性を向上することができる。
【００３７】
また、ＶＮＣ接続は、車載装置１が、遠隔操作処理の対象（ＶＮＣ接続の候補）として登録されているスマートフォン２との間で、ＢＴ無線通信で通信接続がされたことを条件として開始される。すなわち、ユーザは、遠隔操作に用いるスマートフォン２を、車載装置１にあらかじめ登録する。この登録の際に、ＢＴ無線通信のためのペアリング設定を行うことにより、それ以降は、スマートフォン２をＢＴ無線通信が可能な状態（例えば、電源及びＢＴ無線通信の設定がオンにされた状態）で車両に持ち込むだけで、車載装置１とスマートフォン２とが自動的にＢＴ無線通信で通信接続される。そして、ＢＴ無線通信で通信接続されると、スマートフォン２から車載装置１へＶＮＣ要求が送信され、ＶＮＣ接続される。
【００３８】
［３．処理手順］
次に、車載装置１で実行される具体的な処理手順について説明する。図３は、車載装置１の制御部１６が実行する接続処理のフローチャートである。制御部１６は、図３の接続処理を開始すると、まずＳ１０１で、スマートフォン２からＢＴ通信部１１を介してＶＮＣ要求を受信したか否かを判定し（換言すれば、ＶＮＣ要求の有無を監視し）、ＶＮＣ要求を受信するまで、監視を継続する。そして、制御部１６は、Ｓ１０１でＶＮＣ要求を受信したと判定すると、Ｓ１０２へ移行し、ＶＮＣ要求の送信元であるスマートフォン２とのＶＮＣ接続を開始する。
【００３９】
続いて、制御部１６は、Ｓ１０３で、ＶＮＣ接続の対象となるスマートフォン２から、そのスマートフォン２の機種を特定するための機種特定情報を取得する。機種特定情報は、それ自体が機種を表す情報であってもよく、また、機種を特定するための手掛かりになる情報（例えば、製造メーカ、キャリア、シリアルナンバー、ＩＰアドレスなど）であってもよい。例えば、１つの機種しか有しない製造メーカのスマートフォン２であれば、製造メーカから機種を特定することができる。また、製造メーカとキャリアとの組み合わせて機種を特定することができる場合もある。また、車載装置１への登録時にスマートフォン２の固有情報（例えばシリアルナンバーやＩＰアドレス）と機種とを対応付けて記憶しておくことで、固有情報から機種を特定することができる。なお、機種特定情報の取得手順は特に限定されるものではなく、例えば、ＶＮＣ要求の受信後に要求元のスマートフォン２にＢＴ通信部１１を介して機種特定情報の要求を送信するように構成してもよく、また、あらかじめスマートフォン２がＶＮＣ要求とともに機種特定情報を送信するように構成してもよい。
【００４０】
続いて、制御部１６は、Ｓ１０４で、ＶＮＣ接続の対象となるスマートフォン２の機種を、機種特定情報に基づき特定することができたか否かを判定する。そして、制御部１６は、Ｓ１０４で機種を特定することができたと判定した場合には、Ｓ１０５へ移行し、特定した機種に対応する操作用画像を記憶しているか否かを判定する。
【００４１】
このＳ１０５で、機種に対応する操作用画像を記憶していないと判定した場合には、Ｓ１０６へ移行し、操作用画像をセンタ３から取得した後、Ｓ１０７へ移行する。具体的には、広域通信部１５を介して機種を表す情報をセンタ３へ送信する。センタ３は、複数種類の機種に対応する操作用画像を記憶するデータ保有部３１を備えており、車載装置１から機種を表す情報を受信すると、その機種に対応する操作用画像を返信する。一方、Ｓ１０５で、機種に対応する操作用画像を記憶していると判定した場合には、そのままＳ１０７へ移行する。
【００４２】
Ｓ１０７では、制御部１６は、ＶＮＣ接続の対象となるスマートフォン２の機種に対応する操作用画像をタッチパネル表示部１３に表示させた後、Ｓ１０９へ移行する。一方、前述したＳ１０４で、機種を特定することができなかったと判定した場合には、Ｓ１０８へ移行し、あらかじめ用意されているデフォルトの（例えば標準的なボタンが配置された）操作用画像をタッチパネル表示部１３に表示させた後、Ｓ１０９へ移行する。
【００４３】
Ｓ１０９では、制御部１６は、ＶＮＣ接続の対象となるスマートフォン２の機種が、タッチパネルを備える機種であるか否かを判定する。そして、Ｓ１０９で、タッチパネルを備える機種であると判定した場合には、Ｓ１１０へ移行し、操作用画像を非表示にして、その分、スマートフォン２の表示画面に表示されている画像を大きく表示させる。例えば前述した図２（Ａ）の表示画面であれば、図４に示すように、車載装置１の表示画面の全域に、スマートフォンＡの表示画面Ａ１に表示されている画像が表示される。ただし、操作用画像の表示／非表示を切り替えるための切替ボタンＳを表示画面の一部に表示しておき、ユーザの操作に応じて操作用画像を表示させ、再度非表示にする操作を可能とする。一方、Ｓ１０９で、タッチパネルを備える機種でないと判定した場合には、操作用画像を非表示にしない。その後、ＶＮＣ接続が終了すると、図３の接続処理を終了する。
【００４４】
［４．効果］
以上説明したように、本実施形態の車載装置１によれば、ＶＮＣ接続の対象となるスマートフォン２の機種に応じて、異なる操作用画像をタッチパネル表示部１３に表示させることができる。したがって、スマートフォン２の機種に関係なく共通の操作用画像が表示される構成と比較して、操作用画像に対する操作を行いやすくする（操作性を向上させる）ことができる。
【００４５】
また、本実施形態の車載装置１は、ＶＮＣ接続の対象となるスマートフォン２がタッチパネルを有しない場合に操作用画像を表示し、タッチパネルを有する場合には操作用画像を非表示にする（Ｓ１０９，Ｓ１１０）。このように、ハードウェアボタンが必要とされる度合いが低いスマートフォン２の場合には、操作用画像を表示させないようにすることで、スマートフォン２の表示部２３で表示される画像のための表示領域を大きくすることができる。しかも、操作用画像の表示／非表示を切り替えるための切替ボタンＳを表示し（Ｓ１１０）、操作用画像を表示させる表示モードと、操作用画像を表示させない表示モードとを、切替ボタンＳに対する操作に応じて切り替えるため、操作用画像を必要に応じて表示させることができる。
【００４６】
また、本実施形態の車載装置１は、記憶していない操作用画像をセンタ３から取得するようにしているため（Ｓ１０５，Ｓ１０６）、ＶＮＣ接続の対象となるスマートフォン２の機種に対応する操作用画像を記憶していない場合にも、その機種に対応する操作用画像を表示することができる。
【００４７】
また、本実施形態の車載装置１は、スマートフォン２の機種が特定できない場合には、デフォルトの操作用画像を表示するようにしているため（Ｓ１０４，Ｓ１０８）、ＶＮＣ接続の対象となるスマートフォン２の機種が特定できない場合にも、標準的なハードウェアボタンなどを操作用画像として表示することができる。
【００４８】
また、本実施形態の車載装置１は、スマートフォン２の固有情報と機種とを対応付けて記憶し、機種特定情報として取得される固有情報に基づき機種を特定することができる（Ｓ１０３，Ｓ１０４）。このように、機種特定情報が機種そのものを表すものでない場合にも、機種特定情報に基づいて機種を特定することができる。
【００４９】
なお、車載装置１が、特許請求の範囲に記載の車載装置の一例に相当し、ＢＴ通信部１１及びＷｉ−Ｆｉ通信部１２が、無線通信手段の一例に相当し、タッチパネル表示部１３が、表示手段及び入力手段の一例に相当し、制御部１６が、制御装置の一例に相当する。また、接続処理が、実行手段としての処理の一例に相当し、Ｓ１０３の処理が、入力処理手段としての処理の一例に相当し、Ｓ１０４〜Ｓ１１０の処理が、表示処理手段としての処理の一例に相当する。また、スマートフォン２が、携帯装置の一例に相当し、表示部２３が、表示部の一例に相当する。また、センタ３が、外部装置の一例に相当する。
【００５０】
［５．他の実施形態］
以上、本発明の実施形態について説明したが、本発明は、上記実施形態に限定されることなく、種々の形態を採り得ることは言うまでもない。
【００５１】
（１）上記実施形態では、車載装置１が、ＶＮＣ接続の対象となるスマートフォン２がタッチパネルを有しない場合に操作用画像を表示し、タッチパネルを有する場合には操作用画像を非表示にするようにしているが（Ｓ１０９，Ｓ１１０）、これに限定されるものではない。例えば、機種特定情報に基づき特定される機種のスマートフォン２が有するハードウェアボタンの数が、所定のしきい値以上（例えば４つ以上）の場合に操作用画像を表示し、しきい値未満の場合には操作用画像を非表示にするようにしてもよい。ハードウェアボタンの数が少ないほど、ハードウェアボタンが必要とされる度合いが低いからである。このようにしても、上記実施形態と同様の効果を得ることができる。
【００５２】
（２）上記実施形態では、車載装置１が、ＶＮＣ接続の対象となるスマートフォン２の機種に対応する操作用画像を記憶していない場合に、その操作用画像をセンタ３から取得するようにしているが（Ｓ１０５，Ｓ１０６）、これに代えて、例えばそのスマートフォン２から操作用画像を取得するようにしてもよい。また、車載装置１が、スマートフォン２から、そのスマートフォン２が有するハードウェアボタンの情報（ボタンコマンド）を取得し、取得したボタンコマンドに基づいて操作用画像を生成してもよい。また、スマートフォン２から機種特定情報を入力して機種を特定し、特定した機種のハードウェアボタンに対応したデザインのボタンを表示するという方法に代えて、車載装置１が、スマートフォン２から、ボタンの数や種類だけでなくデザイン情報も入力し、入力した情報に対応したデザインのボタンを表示するようにしてもよい。このような方法でも、ＶＮＣ接続の対象となるスマートフォン２のハードウェアボタンに合ったボタン表示とすることができ、操作性が向上する。
【００５３】
（３）上記実施形態では、スマートフォン２を車載装置１で遠隔操作するためにＶＮＣ接続する構成を例示したが、遠隔操作の手法は特に限定されず、例えば、車載情報端末と携帯端末との連携を可能にするインタフェース規格であるターミナルモードに基づき遠隔操作する構成でもよい。要するに、携帯装置の表示部で表示される画像を無線通信手段を介して入力して表示手段に表示させる画像表示処理と、入力手段により入力された操作を無線通信手段を介して携帯装置へ出力する操作出力処理とを実行するものであればよい。
【００５４】
（４）上記実施形態では、車載装置１とスマートフォン２とが無線通信を行う構成を例示したが、これに代えて、ＵＳＢケーブルなどを介して有線通信を行う構成としてもよく、また、有線通信と無線通信とを併用する構成としてもよい。
【００５５】
（５）上記実施形態では、携帯装置としてスマートフォンを例示したが、これ以外の携帯電話機でもよく、また、携帯電話機以外の携帯装置（例えばタブレット端末）でもよい。
【００５６】
（６）本発明の制御装置は、制御部１６の一部（チップモジュール）として構成してもよい。
【符号の説明】
【００５７】
１…車載装置、２…スマートフォン、３…センタ、１１…ＢＴ通信部、１２…Ｗｉ−Ｆｉ通信部、１３…タッチパネル表示部、１４…音出力部、１５…広域通信部、１６…制御装置、１６…制御部、２１…ＢＴ通信部、２２…Ｗｉ−Ｆｉ通信部、２３…表示部、２４…操作部、２５…音出力部、２６…制御部、３１…データ保有部、Ａ１，Ｂ１，Ｃ１…表示画面、Ａ２，Ｂ２，Ｂ３，Ｂ４，Ｃ２，Ｃ３，Ｃ４…ハードウェアボタン、Ｎ１…標準機能ボタン、Ｓ…切替ボタン
【図１】
0005573809.tif 000002
【図２】
0005573809.tif 000003
【図３】
0005573809.tif 000004
【図４】
0005573809.tif 000005